(57)【要約】      （修正有）【課題】異なる画像形成装置から成るシステムの消費電力を効率的に軽減する。【解決手段】画像形成装置に含まれる各動作ユニットそれぞれを認証された各利用者が過去に利用した利用量を前記利用履歴として記憶する利用履歴記憶部と、画像形成装置の利用が認証された利用者それぞれの画像形成装置の利用履歴に基づき画像形成装置がこの利用者により利用される予測業務利用量を導出する利用量予測部と、利用者の設置部屋における在室状況および予測された業務利用量に基づき対応する各画像形成装置の電源稼働状態を制御する前記電源制御部備えた。【選択図】図１
2013046211.tif 000002
【特許請求の範囲】
【請求項１】
画像形成処理を行う画像形成装置における電源稼働状態を制御する電源制御部と、前記画像形成装置の利用者の認証判定を行うと共に前記画像形成装置が設置された設置部屋における前記利用者の在室状況を記憶管理する利用者認証部とを備えた画像形成装置制御システムであって、
前記画像形成装置に含まれる各動作ユニットそれぞれを前記認証された各利用者が過去に利用した利用量を前記利用履歴として記憶する利用履歴記憶部と、
前記画像形成装置の利用が認証された利用者それぞれの前記画像形成装置の利用履歴に基づき前記画像形成装置が前記利用者よって利用される予測業務利用量を導出する利用量予測部とを備え、
前記電源制御部は、前記利用者の前記設置部屋における在室状況および前記予測された業務利用量に基づき前記対応する画像形成装置の電源稼働状態を制御する電源利用量制御手段を備えたことを特徴とする画像形成装置制御システム。
【請求項２】
請求項１に記載の画像形成装置制御システムにおいて、
前記認証された各利用者の前記設置部屋における在室または不在状態を示す入力を受け付けると共に前記入力内容を前記利用者認証部に通知する在室状況通知入力部を備えたことを特徴とする画像形成装置制御システム。
【請求項３】
請求項１に記載の画像形成装置制御システムにおいて、
前記画像形成装置に対する前記利用者からの動作要求を受け付け記憶保持すると共に、前記利用者が認証された場合に前記記憶保持した動作要求に応じた画像形成処理を実行する一括動作制御部を備えたことを特徴とする画像形成装置制御システム。
【請求項４】
請求項１に記載の画像形成装置制御システムにおいて、
前記利用者認証部は、前記設置部屋に設置され、前記設置部屋における各利用者の入退室時に各ユーザのユーザＩＤが記憶されたＩＤ機器が当該利用者認証部から一定範囲内に近接した場合に近接通信を介して前記ユーザＩＤを取得する近接通信手段を備えたことを特徴とする画像形成装置制御システム。
【請求項５】
請求項１に記載の画像形成装置制御システムにおいて、
前記電源制御部は、前記画像形成装置に含まれる各動作ユニットの電源のＯＮ／ＯＦＦ状態または各動作ユニットにおけるヒータの温度段階の高低を段階的に制御する電源利用量段階制御手段を備えたこと特徴とする画像形成装置制御システム。
【請求項６】
請求項５に記載の画像形成装置制御システムにおいて、
電源利用量段階制御手段は、前記予測業務利用量がより高い前記動作ユニットが稼働状態に設定されるまでの動作待機時間がより短くなるように設定する待機時間制御機能を備えたことを特徴とする画像形成装置制御システム。
【請求項７】
画像形成処理を行う画像形成装置の利用者の認証判定を行うと共に、前記画像形成装置が設置された設置部屋における前記利用者の在室状況を記憶管理する利用者認証部を備えた画像形成装置制御システムにあって、前記画像形成装置における電源稼働状態を制御する画像形成装置制御方法であって、
前記画像形成装置に含まれる各動作ユニットそれぞれを前記認証された各利用者が過去に利用した利用量を前記利用履歴として記憶する処理を行い、
前記画像形成装置の利用が認証された利用者それぞれの前記画像形成装置の利用履歴に基づき前記画像形成装置が前記利用者よって利用される予測業務利用量を導出し、
前記電源制御部は、前記利用者の前記設置部屋における在室状況および前記予測された業務利用量に基づき前記対応する画像形成装置の電源稼働状態を制御することを特徴とした画像形成装置制御方法。
【請求項８】
画像形成処理を行う画像形成装置の利用者の認証判定を行うと共に、前記画像形成装置が設置された設置部屋における前記利用者の在室状況を記憶管理する利用者認証部を備えた画像形成装置制御システムにあって、前記画像形成装置における電源稼働状態を制御するための画像形成装置制御プログラムであって、
前記画像形成装置に含まれる各動作ユニットそれぞれを前記認証された各利用者が過去に利用した利用量を前記利用履歴として記憶する処理を行う利用履歴記憶処理機能と、
前記画像形成装置の利用が認証された利用者それぞれの前記画像形成装置の利用履歴に基づき前記画像形成装置が前記利用者よって利用される予測業務利用量を導出する利用量予測機能と、
前記電源制御部は、前記利用者の前記設置部屋における在室状況および前記予測された業務利用量に基づき前記対応する画像形成装置の電源稼働状態を制御する電源利用量制御機能とを、前記画像形成装置制御システムのコンピュータにより実現することを特徴とした画像形成装置制御プログラム。
【発明の詳細な説明】
【技術分野】
【０００１】
本発明は、利用者からの操作に応じて画像形成処理を行う画像形成装置の稼働状態を制御する画像形成装置制御システムに関する。
【背景技術】
【０００２】
プリンタ、スキャナ、ファックス装置などの画像形成を行う情報機器である画像形成装置では、顧客情報の誤送信や不正使用による漏洩を防ぐために、画像形成装置それぞれを利用する際に、ユーザごとの動作制限が行われるケースが増えてきている。この場合、通常、個人認証を実施し、認証に成功した場合に対象の画像形成装置が利用可能な状態に設定される。
【０００３】
また、環境問題への対応という観点から、画像形成装置を使用していない時間帯においては、電子写真式のプリンタにおける定着器のヒータ部分への電力を停止、または低減することにより、節電を図るという利用形態が一般的になっている。
【０００４】
しかしながら、例えば、プリンタにおける定着器のヒータ部分の電力停止を実施した場合、プリント時に定着温度に達するまでの時間がかかるため、使い勝手が著しく悪くなってしまうという不都合があった。
【０００５】
これに対して、特定エリアの現時点の在籍人数を記憶する勤務管理装置と画像形成装置を接続し、勤務管理装置からユーザの現時点の在室人数を取得し、その在室人数から省電力状態へ移行時間を増減する画像形成装置が開示されている（特許文献１）。
【０００６】
また、この関連技術として、ユーザが所持しているＩＣタグと無線通信を行い、ユーザが装置に近づいてくる事を認識し、装置からの距離がある閾値より近づいてきた場合に節電状態を解除して動作状態にする技術が開示されている（特許文献２，３）。
【０００７】
更に、この関連技術として、接続された異なる画像形成装置の利用状況からオプションの実装状態や、画像形成装置の状況などに基づき、消費効率の良い画像形成装置を選んで稼働するよう制御することにより消費電力を軽減するシステムが開示されている（特許文献４）。
【０００８】
さらに、この関連技術として、画像形成装置などの情報機器に対してアクセスしてきたユーザが正規ユーザか否かを判断し、正規ユーザである場合、そのユーザの利用履歴からユーザが使用すると予測される機能モジュールを選択しその機能モジュールを電力供給対象として制御するシステムが開示されている（特許文献５）。
【先行技術文献】
【特許文献】
【０００９】
【特許文献１】特開２０１０−０１４９９７号公報
【特許文献２】特開２０１０−１３５９９３号公報
【特許文献３】特開２００７−０４９３０８号公報
【特許文献４】特開２００４−０７４５３０号公報
【特許文献５】特開２０１０−０７２０９７号公報
【発明の概要】
【発明が解決しようとする課題】
【００１０】
上記特許文献１〜３を組み合わせた内容では、画像形成装置が設置された部屋における利用者の在室人数に応じて、画像生成装置における動作状態を、通常動作状態、節電動作状態、またはスリープ状態と切り替える制御を行うものであるが、これは、例えば、在室人数が一定人数より少ないときには画像形成装置における節電移行時間が短く設定する、といった制御が行われる。
【００１１】
しかしながら、この場合、利用者の画像形成装置の利用頻度や使用量はそれぞれ異なるものであるため、例えば、在室人数が少ない場合であっても、その在室利用者の中に画像形成装置の使用頻度が高いユーザがいる場合などには、画像形成装置における動作状態を
各利用者の使用ペースや使用量に合わせて制御することができず、各利用者にとって使い勝手のよい動作状態に設定することができないという不都合が生じ得る。
【００１２】
また、上記関連技術である特許文献２，３では、ＩＣタグを読み取る無線装置やカメラなどの装置周辺機器を配備しなければならず、システム構成としての構成機器が大規模かつ煩雑なものとなることから運用コストが膨大となってしまう、といった不都合がある。
【００１３】
さらに、上記特許文献２、３を組み合わせた内容では、画像形成装置へ近づいてくる利用者と画像形成装置との距離を検知し、一定の距離に近づいたことを検知した場合に画像形成装置における節電状態を解除する。
これは、画像形成装置のうち、例えば、コピー機などのように、利用者が装置に近づいて操作を行う場合には有効であるが、プリンタやＦＡＸのように、必ずしも装置に対して近づいて操作を行う必要のない機器については、有効な節電効果を得ることができないという不都合がある。
【００１４】
また、上記特許文献４では、複数の異なる画像形成装置が接続される大掛かりなシステム構成となった場合、通常は自分の近くの画像形成装置から出力するのが使用者にとっては使い勝手が良いが、本システムを使用した場合には、ユーザに対して物理的に近くにある画像形成装置が必ずしも選択されるわけではなく、ユーザから物理的に遠い位置にある画像形成装置が利用可能な装置として選択された場合は、ユーザにとって使い勝手の悪いシステムとなってしまう不都合がある。
【００１５】
更に、上記特許文献５では、記録されたユーザの装置使用履歴の情報が、例えば、1週間、1ヶ月以内、6ヶ月以内等と粗く設定されているため、各ユーザによる装置の使用状況を適切に予測することができないという不都合がある。また、ユーザの在室状況や現在時間等の状況も確認しておらず、システム全体としての大まかな節電設定を行うことはできても、各ユーザの使用状況に応じたフレキシブルな節電設定の切り替えができないため、効率的な節電を実現することが困難である。
【００１６】
［発明の目的］
本発明は、上記関連技術の有する不都合を改善し、異なる画像形成装置から成るシステムの消費電力を効率的に軽減し得る画像形成装置制御システム、画像形成装置制御方法、および画像形成装置制御プログラムを提供することを、その目的とする。
【課題を解決するための手段】
【００１７】
上記目的を達成するために、本発明に係る画像形成装置制御システムは、画像形成処理を行う画像形成装置における電源稼働状態を制御する電源制御部と、前記画像形成装置の利用者の認証判定を行うと共に前記画像形成装置が設置された設置部屋における前記利用者の在室状況を記憶管理する利用者認証部とを備えた画像形成装置制御システムであって、前記画像形成装置に含まれる各動作ユニットそれぞれを前記認証された各利用者が過去に利用した利用量を前記利用履歴として記憶する利用履歴記憶部と、前記画像形成装置の利用が認証された利用者それぞれの前記画像形成装置の利用履歴に基づき前記画像形成装置が前記利用者よって利用される予測業務利用量を導出する利用量予測部とを備え、前記電源制御部は、前記利用者の前記設置部屋における在室状況および前記予測された業務利用量に基づき前記対応する画像形成装置の電源稼働状態を制御する電源利用量制御手段を備えたことを特徴としている。
【００１８】
また、上記目的を達成するために、本発明に係る画像形成装置制御方法は、画像形成処理を行う画像形成装置の利用者の認証判定を行うと共に、前記画像形成装置が設置された設置部屋における前記利用者の在室状況を記憶管理する利用者認証部を備えた画像形成装置制御システムにあって、前記画像形成装置における電源稼働状態を制御する画像形成装置制御方法であって、前記画像形成装置に含まれる各動作ユニットそれぞれを前記認証された各利用者が過去に利用した利用量を前記利用履歴として記憶する処理を行い、前記画像形成装置の利用が認証された利用者それぞれの前記画像形成装置の利用履歴に基づき前記画像形成装置が前記利用者よって利用される予測業務利用量を導出し、前記電源制御部は、前記利用者の前記設置部屋における在室状況および前記予測された業務利用量に基づき前記対応する画像形成装置の電源稼働状態を制御することを特徴としている。
【００１９】
また、本発明にかかる画像形成装置制御プログラムは、画像形成処理を行う画像形成装置の利用者の認証判定を行うと共に、前記画像形成装置が設置された設置部屋における前記利用者の在室状況を記憶管理する利用者認証部を備えた画像形成装置制御システムにあって、前記画像形成装置における電源稼働状態を制御するための画像形成装置制御プログラムであって、前記画像形成装置に含まれる各動作ユニットそれぞれを前記認証された各利用者が過去に利用した利用量を前記利用履歴として記憶する処理を行う利用履歴記憶処理機能と、前記画像形成装置の利用が認証された利用者それぞれの前記画像形成装置の利用履歴に基づき前記画像形成装置が前記利用者よって利用される予測業務利用量を導出する利用量予測機能と、前記電源制御部は、前記利用者の前記設置部屋における在室状況および前記予測された業務利用量に基づき前記対応する画像形成装置の電源稼働状態を制御する電源利用量制御機能とを、前記画像形成装置制御システムのコンピュータにより実現することを特徴としている。
【発明の効果】
【００２０】
本発明は、以上のように構成され機能するので、これによると、異なる動作ユニットからなる画像形成装置における各動作ユニットの稼働状態を利用者の人数および使用状況に応じて効率的に制御することにより、画像形成装置における消費電力を効率的に軽減し得る画像形成装置制御システム、画像形成装置制御方法、および画像形成装置制御プログラムを提供することができる。
【図面の簡単な説明】
【００２１】
【図１】本発明による画像形成装置制御システムにおける一実施形態を示す概略ブロック図である。
【図２】図１に開示した画像形成装置制御システムにおけるユーザ認証部および入力操作部における動作内容を示すフローチャートである。
【図３】図１に開示した画像形成装置制御システムにおけるRFID部および入力操作部の動作状態の一例を示す説明図である。
【図４】図１に開示した画像形成装置制御システムにおける画像形成装置それぞれの動作状態を示すテーブル情報の一例を示す説明図である。
【図５】図１に開示した画像形成装置制御システムにおける一実施形態を示す概略ブロック図である。
【図６】本発明による画像形成装置制御システムにおける一実施形態（変形例）を示す概略ブロック図である。
【図７】本発明による画像形成装置制御システムにおける一実施形態を示す概略ブロック図である。
【発明を実施するための形態】
【００２２】
［実施形態］
次に、本発明の実施形態について、その基本的構成内容を説明する。
【００２３】
本実施形態である画像形成装置制御システム１００は、図１に示すように、ユーザが保持するＩＤカードのＲＦＩＤタグから発信された電波を検知しこの電波からユーザＩＤを読み取るＲＦＩＤ部５と、ＲＦＩＤ部５で読み取られたユーザＩＤに基づき個人認証を行うユーザ認証部７と、ユーザからの入力を受けるタッチパネルを備えた入力操作部６と、予め設定された画像形成機能を備えユーザからの操作に応じて機能する画像形成装置を備えた構成を有する。
尚、上記画像形成装置として本実施形態では、スキャナ部８、ＦＡＸ通信部９、プリンタ部１０が含まれるものとする。
【００２４】
また、画像形成装置制御システム１００は、上記ユーザ認証部７や画像形成装置を構成する各動作ユニット（スキャナ部８、ＦＡＸ通信部９、プリンタ部１０）それぞれの動作を制御する主制御部３と、主制御部３からの制御信号に基づき動作し、上記画像形成装置として予め設けられたスキャナ部８、ＦＡＸ通信部９、およびプリンタ部１０における電源のＯＮ／ＯＦＦ状態、またはプリンタ部１０の定着ヒータ部の温度段階を制御する電源制御部１１と、画像形成装置を利用する各ユーザの在室状況や業務、ジョブ数をテーブル情報として記憶保持するメモリ部４を備えている。
【００２５】
更に、画像形成装置制御システム１００は、主制御部３に対して現在時刻を通知する時計部１２と、主制御部３に対してプリント対象のデータを送り込むＰＣプリントデータ入力部１と、このＰＣプリントデータ入力部１に接続されて動作するパーソナルコンピュータ１３と、このパソコン１３と主制御部３とを相互に接続するＬＡＮ通信部２を有する。
【００２６】
尚、本実施形態では、上記構成を有する画像形成装置制御システム１００がある部屋に設置されているものとする。
例えば、出社したユーザがこの画像形成装置制御システム１００に実装されているＲＦＩＤ部５に対してＩＤカードをかざすことにより、ユーザＩＤが読み取られ、個人認証を行う。
本実施形態では、画像形成装置制御システム１００が設置された部屋に対する入退室や各ユーザの在室状況を上記ＲＦＩＤ部５により読み取ったユーザＩＤに基づき画像形成装置制御システム１００が監視する。
【００２７】
ユーザ認証部７は、ＲＦＩＤ部５で読み取られたユーザ個別のユーザＩＤを取得し、このユーザＩＤに対応するユーザが予め設定された画像形成装置の操作可能ユーザであるか否か、つまり、予め登録されたユーザであるか否かを認証判定する。
これにより、画像形成装置の利用にかかるセキュリティを有効に高めることが可能となる。
【００２８】
尚、この時のユーザＩＤによる認証判定については、本画像形成装置制御システムの管理者がＲＦＩＤタグの情報とユーザ情報（ユーザＩＤ）を結び付けて、ユーザ認証部７に予め登録されているものとする。
【００２９】
ここで、取得されたユーザＩＤが操作可能ユーザのＩＤであることがユーザ認証部７で認証された場合に、主制御部３は、入力操作部６の表示部６１（図３）には、「在室」、「不在」、「会議」を選択指定可能な画面を出力表示する設定であってもよい。
【００３０】
ユーザ認証部７が、主制御部３を介して取得したＩＤに基づきユーザを認証（判定を行い）し、画像形成装置  の操作可能者であるか否かを判定する。
ここで、操作可能者と認証された場合には、主制御部３は、メモリ部４に予め配置されたユーザ情報メモリ部４２に各種情報を登録する。
【００３１】
尚、ユーザ情報メモリ部４２には、通知されたユーザＩＤをキーとして、このＩＤに対応するユーザの在室状況、本日の業務状況、使用履歴、ＦＡＸ受信ＪＯＢの状況などの情報が格納されており、主制御部３は、これらの情報から機能ユニットの使用予定枚数を予測する使用予定数予測機能を有する。
【００３２】
電源制御部１１には、画像形成装置の各機能ユニットが内部の主要ブロックごとに電源ON/OFFの切り替えができるように接続されているものとする。
【００３３】
また、電源制御部１１は、画像形成装置の機能ユニットとしての表示や操作入力を行う入力操作部６、原稿を読み取るスキャナ部８、ＦＡＸ通信を行うＦＡＸ通信部９、印刷データを出力するプリンタ部１０の内部の主要ブロックごとの電源制御を、ユーザ情報メモリ部４２に格納された情報から各機能ユニットごとの電源制御をフレキシブルに切り替えることにより、消費電力削減を行う。
【００３４】
尚、本画像形成装置の動作は、ＲＦＩＤによる認証が通らない場合、各機能を動かすことができない（すなわち、起動不能に設定されるものとする）ものとする。これにより、コピー出力時、プリント出力時、スキャナ動作時、ＦＡＸ送信時にＲＦＩＤをかざして認証ＯＫとなった場合に限って、それぞれの操作を行うことが可能となる。また、これにより、ひとつのユニットを動作させた時に、同時に他の機能も動作させるようにすることが可能となる。
【００３５】
スキャナ部８は、図１に示すように、メカ系の制御ユニットやセンサ関係のユニットで構成されるメカ制御部８１と、読み取った画像に対して画像形成処理を行う画処理部８２から成る。
【００３６】
また、ファックス通信部９は、ＦＡＸ通信を行う通信部９１と相手からの着信を認識する着信部９２から成る。また、プリント部１０は印刷するデータを感光体ドラムに形成する画像生成部１０１と用紙に転写されたトナー画像をヒータで過熱したローラで熱定着させる定着ヒータ部１０２から成る。
【００３７】
更に、入力操作部６は、枚数指示や相手先指定など装置の動作起動を行うタッチパネルやボタンで構成されるタッチパネル・ボタン部6bと表示を行う表示部６１に分けられた設定であるものとする。
【００３８】
次に、電源制御部１１における、上記画像形成ユニット（スキャナ部８、ＦＡＸ通信部９、プリンタ部１０）ごとの電源制御について、図５に基づき説明する。図５は、電源制御部１１で制御するパターンテーブル表の一例を示す。
【００３９】
尚、入力操作部６（図５：５０１）については３つの状態（状態（１）〜（３））が想定される。
ここで、状態（１）は、表示部がＯＮ、タッチパネルがＯＮ状態に設定され、入力操作部６全体の電源がＯＮ状態に設定されている。
この状態は、全機能が動作可能で、且つ消費電力が高い状態となっており、入力操作部６からの装置動作指示が行われたときがこの状態に相当する。
【００４０】
また、状態（２）は、表示部がＯＦＦ、タッチパネルがＯＮ状態に設定され、画面表示が消えているが入力操作部のタッチパネルやスイッチが押下されると、表示部をＯＮ状態に設定する、つまり、通常の起動状態に復帰可能な状態（表示スリープ状態）に相当する。
【００４１】
また、状態（３）は、表示部がＯＦＦ、タッチパネルがＯＦＦ状態に設定され、更には、入力操作部全体の電源がＯＦＦされている状態であり、入力操作部としては消費電力が最も低い状態である。この状態下では、入力操作部を使用しない機能は動作可能であるものとする。
【００４２】
同様にスキャナ部８についても、図５のカラム５０２に示すように、3つの状態が想定される。
スキャナ部８の状態（１）では、メカ制御部８１がＯＮ状態、画処理部８２がＯＮ状態であり、スキャナ部８全体の電源がＯＮ状態に設定されており、全機能が動作可能である状態を示す。尚、この状態は消費電力が最も高い状態であり、この時は、スキャナ機能を動作させる状態に相当する。
【００４３】
スキャナ部８の状態（２）では、メカ制御部８１がＯＦＦ状態、画処理部８２がＯＮ状態であり、画像処理部の初期設定が完了している状態でメカ制御部の電源がＯＮになるとすぐに動作可能な状態に設定される、つまり復帰動作可能な状態を示す。
【００４４】
スキャナ部８の状態（３）は、メカ制御部８１がＯＦＦ状態、画処理部８２がＯＦＦ状態であり、スキャナ部８全体の電源がＯＦＦされている状態であり、スキャナ部８としては消費電力が最も低い状態である。この状態下では、スキャナ部８を使用しない他の機能は動作可能であるものとする。
【００４５】
更に、ＦＡＸ通信部９についても、図５のカラム５０３に示すように、３つの状態が想定される。
ＦＡＸ（ファックス）通信部９の状態（１）では、通信部９１がＯＮ状態、着信部９２がＯＮ状態であり、ファックス通信部９全体の電源がＯＮ状態に設定されており、全機能が動作可能である状態を示す。尚、この状態は消費電力が最も高い状態であり、この時は、ファックス機能（送信および受信機能）を動作させる状態に相当する。
【００４６】
ファックス通信部９の状態（２）では、通信部９１がＯＦＦ状態、着信部９２がＯＮ状態であり、ファックス通信部９のリンガ着信が可能な状態で、リンガ着信後通信部がＯＮになると受信が可能な状態を示す。
【００４７】
ファックス通信部９の状態（３）は、通信部９１がＯＦＦ状態、着信部９２がＯＦＦ状態であり、ファックス部９全体の電源がＯＦＦされている状態であり、消費電力が最も低い状態である。この状態下では、ファックス機能以外の他の機能は動作可能であるものとする。
【００４８】
また、プリンタ部１０の画像生成部については、図５のカラム５０４に示すように、２つの場合が想定される。プリンタ部１０の状態（１）では、画像生成部１０１がＯＮ状態で印刷するデータを感光体ドラムに形成することが可能な状態であるものとする。
【００４９】
定着ヒータ部１０２については、消費電力を削減するためには、最も効果的なユニットであり、ここでは、例えば、５段階の温度設定が可能であるものとする（図５のカラム５０５）。この段階数については任意に設定できるようにしてもよい。
【００５０】
消費電力に付いては定着ヒータ部１０２の状態（１）＞（２）＞（３）＞（４）＞（５）の順番で大きく、記録紙への画像定着までの待ち時間についても、同様に（１）＞（２）＞（３）＞（４）＞（５）の順番で復帰までが速い（つまり、復帰までの時間が短い）。
【００５１】
ここで、装置の消費電力を低く抑えるためには、上記機能ユニットの何れの場合においても数字が大きい方（例えば、（１）、（２）、（３）では（３）側）の状態をできる限り選択するものとする。
【００５２】
［変形例］
本実施形態は、その変形例として、図６に示すように、ユーザ認証が通らない場合に、このユーザから要求される画像形成ＪＯＢを記憶保持し、その後ユーザ認証が通った場合に、記憶保持した画像形成ジョブを電源制御部１１が一括して実行する一括動作制御部１１１を備えた構成であってもよい。
【００５３】
この場合、本画像形成装置の動作はＲＦＩＤによる認証が通らない場合に、画像形成装置の各機能を稼働することができないように制御されるものとする。
【００５４】
これにより、コピー出力時、プリント出力時、スキャナ動作時、ＦＡＸ通信時にＲＦＩＤをかざして認証ＯＫとなった場合に、それぞれの動作を可能にすることによって、ひとつのＪＯＢにてＲＦＩＤをかざして起動した場合に他のＪＯＢも合わせて動作するものとする。
【００５５】
ここで、例えば、プリントＪＯＢを行う場合には、認証ＯＫとならなければ印刷を行わず、ユーザがＲＦＩＤカードをかざし認証ＯＫと判定されたときに、それまで印刷（プリントアウト）されずにデータとして記憶されていた内容をまとめてプリントアウトする構成であってもよい。
【００５６】
また、その時にＦＡＸ受信した受信文書や、コピーの記録なども同様に、ＪＯＢストックとして記憶されたＪＯＢがまとめて実行される設定であってもよい。
【００５７】
これは、例えば、図３の入力操作部６の表示部６１の下段に記載している内容で説明する。ＲＦＩＤをかざし、ユーザ認証された後に、機能ボタンを押下して、その機能を動作させる。
【００５８】
そのＪＯＢを行った後、同時にメモリ内に残っているそのユーザのＪＯＢを合わせて動作させように制御する。
【００５９】
このようにすることで、ユーザごとのＪＯＢをユーザ認証時にまとめて動作させることが可能となるため、これにより、画像形成装置を稼働する時間が短縮され、このため、消費電力の削減とセキュリティを更に向上することが可能となる。
【００６０】
また、図７に示すように、上記実施形態におけるユーザ認証部７に代えて、ユーザの認証及びユーザ情報の登録を行う、インターネットなどのネットワーク回線を介して主制御部３に接続された認証サーバ２０を備えた構成としてもよい。
【００６１】
これにより、画像形成装置を利用するユーザ数が増大した場合や、画像形成装置を構成する動作ユニットの数が増大した場合、また、メモリ部４で管理されるテーブル情報が増大し履歴管理を曜日、月、または年単位で行う必要がある場合などにも、これらの情報を、メモリ部４に代えて認証サーバ２０で管理することが可能となる。
【００６２】
［実施形態の動作説明］
次に、上記実施形態における全体的な動作内容について説明する。
まず、認証された各利用者が画像形成装置に含まれる各動作ユニットそれぞれを過去に利用した利用量を利用履歴としてメモリ部４に記憶する（利用履歴記憶処理工程）。
主制御部３は、画像形成装置の利用が認証された利用者それぞれの前記画像形成装置の利用履歴に基づき前記画像形成装置が前記利用者よって利用される予測業務利用量を導出し（利用量予測工程）、次いで、電源制御部１１が、利用者の設置部屋における在室状況および前記予測された業務利用量に基づき、対応する画像形成装置の電源稼働状態を制御する（電源利用量制御工程）。
【００６３】
ここで、上記利用履歴記憶処理工程、利用量予測工程、および電源利用量制御工程については、その実行内容をプログラム化し、コンピュータに実行させるように構成してもよい。
【００６４】
また、本プログラムは、非一時的な記憶媒体、例えば、ＤＶＤ、ＣＤ、フラッシュメモリなどに記録されてもよい。その場合、本プログラムは、記録媒体からコンピュータによって読み出され、実行される。
【００６５】
次に、本実施形態の画像形成装置制御システム１００における入力操作部６の表示部６１およびタッチパネル・ボタン部６２の動作について、図２のフローチャートに基づき具体的に説明する。
【００６６】
まず、出社したユーザが、本実施形態である画像形成装置制御システム１００に実装されているＲＦＩＤ部５に対してＩＤカードをかざす（ステップＳ２０１（図２））。
ここでは、ユーザ個別のユーザＩＤを示す情報がＩＤカードのＲＦＩＤタグ内に予め記憶されているものとする。
【００６７】
次いで、ユーザ認証部７が、ＲＦＩＤ部５で読み取られたユーザ個別のユーザＩＤを取得し（ステップＳ２０２）、このユーザＩＤに対応するユーザが予め設定された画像形成装置の操作可能ユーザであるか否か、つまり、予め登録されたユーザであるか否かを認証判定する（ステップＳ２０３）。
尚、この時のユーザＩＤによる認証判定については、本画像形成装置制御システムの管理者がＲＦＩＤタグの情報とユーザ情報（ユーザＩＤ）を結び付けて、ユーザ認証部７に予め登録されているものとする。
【００６８】
ここで、取得されたユーザＩＤが操作可能ユーザのＩＤであることがユーザ認証部７で認証された場合に（イエス：認証ＯＫ）、主制御部３は、入力操作部６の表示部６１（図３）には、「在室」、「不在」、「会議」を選択指定可能な画面を出力表示する（ステップＳ２０４：在室状況入力画面表示）。
尚、表示部６１はタッチパネル機能を備えた構成であり、ユーザが画面を触る（タップする）ことで、「在室」、「不在」、「会議」を選択入力することが可能であるものとする。
【００６９】
ここでは、ユーザが、出社したことを示す「在室」を押下（タップ）するものとする（ステップＳ２０５）。
次いで、主制御部３は、ＲＦＩＤ部５から入力されたユーザＩＤに基づき本画像形成装置制御システム１００が設置された部屋の在室人数をカウントする（ステップＳ２０８）。
【００７０】
このとき、表示部６１は、引き続き「業務状況」を入力する画面として「使用→多」、「使用→中」、または「使用→少」を表示しているものとする。
【００７１】
次いで、ユーザは本日の業務に基づき、予め設定された画像形成装置（６、８、９、１０）の使用頻度の予定を入力する（ステップＳ２０９）。
また、出社した他のユーザも、上記ユーザと同様に、ＲＦＩＤ部５および入力操作部６を使用して同様の情報を入力するものとする。これにより、画像形成装置を使用する人数や状況が登録される。
【００７２】
ここで、表示部６１は、在室状況入力画面が表示された状態に待機状態として設定されるものとする。
【００７３】
次いで、画像形成装置が置かれた位置を含む一定のエリアからユーザが離れる場合や、画像形成装置が置かれた部屋からユーザが退出する場合には、ユーザは自己の保持するカードをＲＦＩＤ部５にかざして読み取らせ、表示部６１に出力表示された、「不在」または「会議」などのダイアログ表示を選択指定した後、退出するものとする（ステップＳ２０６、Ｓ２０７）。
【００７４】
ここで、「不在」が選ばれた場合には（ステップＳ２０７）、主制御部３は、在室人数をカウントし登録内容を更新した後、次にＲＦＩＤカードがかざされるまで、対応するユーザの在室状態は不在（状態設定）状態に設定する。
【００７５】
また、「会議」が選択された場合（ステップＳ２０６）、主制御部３は、Ｎ時間後（Nは別途登録する）などに自動で「在室（会議前の状態）」のモード切り替える（ステップＳ２１２）。予め設定されたＮ時間が経過した場合は会議押下された前の状態に在室状況入力画面に設定されるものとする。
【００７６】
ここで、ステップＳ２０４の状態で選択された情報（「在室」、「不在」、または「会議」）はメモリ部４のユーザメモリ部４２に登録される。
【００７７】
次に、入力操作部６に対するユーザからの入力に基づき、主制御部３がユーザメモリ部４２に記憶されたテーブル情報の内容を更新する動作について、図４に基づき具体的に説明する。
【００７８】
まず、主制御部３は、表示部６１に対する入力があった場合に、この入力内容に応じてユーザメモリ部４２に格納されたテーブル情報におけるユーザＩＤ（４０１：００１〜００４）をキーとしてユーザＡ〜Ｄ（４０２）を確認する。
【００７９】
また、主制御部３は、ユーザにより表示部６１を介して入力された情報、つまり、入力操作部６から入力されたユーザの在室状況（４０３）を示す情報（「在室」、「会議中」、「不在」）、および業務状況（４０４）を示す情報（「多」、「中」、または「少」）を取得する。
【００８０】
ここで、ユーザメモリ部４２に格納されたテーブル情報における、使用履歴を示す各カラム（４０５〜４０８）は、本日から１日前、２日前、・・・、ｎ日前までの各動作モードごとのある決まった時間における、コピー、プリント、ＦＡＸ受信、ＦＡＸ送信、スキャナそれぞれの使用枚数をユーザごとに記録したものである。
【００８１】
具体的には、ＩＤ００１であるユーザＡは、２日前の８時〜１０時の間にコピー１５枚、プリント３０枚、ファックス送信１枚、ファックス受信１枚、スキャナ７枚のジョブを実施していることが示されている（４０７：図４）。
【００８２】
また、主制御部３は、本日の使用状況も随時確認すると共に、使用履歴の本日の使用履歴カラム（４０５）に使用枚数を登録する。
次いで、主制御部３は、ユーザメモリ部４２のテーブル情報を使用し、特定の時間ごとのコピー、プリント、ＦＡＸ受信・送信、スキャナ各機能（画像形成機能）の使用予定枚数を予測し、その値をテーブル情報に登録する（図４）。
【００８３】
このとき、入力操作部６にて「不在」、「会議」を選択しているユーザがいる場合には（図４では、ＩＤ００３のＣ、ＩＤ００４のＤが該当）、そのユーザのデータは使用せずに使用予定枚数を予測するものとする。
【００８４】
次に、電源制御部１１が、使用予測の枚数（４０９）と本日の使用履歴（３０５）に基づき、各機能ユニットの電源制御を行う動作内容について、図４に基づき説明する。
【００８５】
ここで、ユーザが画像形成装置ユニットを利用する現在時間は１３：３０であるものとする。このとき、ＩＤ００１のユーザＡは在室中で、本日は画像形成装置を使うことが多く、ＦＡＸ機能はほとんど使用しないが、プリントとコピー動作を多く行い、スキャナも少し使用することが予想されているものとする。
【００８６】
また、ＩＤ０００２のユーザＢが在室中で、本日は装置を使うことは普通で（通常通り）、ファックス機能とスキャナ機能はほとんど使用しないがプリント動作、コピー動作は少し使用することが予想されている。
【００８７】
尚、ＩＤ０００３のユーザＣは会議中のため検討から除外。ＩＤ０００４のユーザＤも不在のため検討から除外する。
【００８８】
ここで、メモリ部に格納されたテーブル情報の枚数予測（４０９）と本日の使用履歴（４０５）を確認すると、ほぼ予測通りに使用されていることが示されている（図４）。
このとき、電源制御部１１は、使用予測の枚数（４０９）と本日の使用履歴（３０５）に基づき、各機能ユニットの電源制御を行う。
【００８９】
電源制御部１１は、１３：３０の登録内容（図４）に基づき、ファックス通信部９の電源をＯＦＦ（図５：５０３→（３）の状態）、スキャナ部８の電源はＯＮ（図５：５０２→（１）の状態）、入力操作部６は表示部６１をＯＮ（図５：５０１→（２）の状態）、プリンタ部１０の画像生成部１０１はＯＮ（図５：５０２→（１）の状態）、定着ヒータ部１０２は定着温度の３／４（図５：５０５→（２）の状態）になるように機能ユニットの電源を制御する。
【００９０】
また、電源制御部１１は、１２〜１３時頃の昼の時間などは、画像形成装置を使用するユーザはほとんどいないため、全ての機能ユニットの電源をＯＦＦ状態に設定する。
また、業務時間が終わり、ユーザが帰宅する時にも「不在」にしていくことから、在室の人数も把握できフレキシブルに電源制御が可能となる。
【００９１】
以上のように、本実施形態では、画像形成装置としてのスキャナ部８、ＦＡＸ通信部９、およびプリンタ部１０はそれぞれ予測された使用見込みと現在の使用枚数から必要な機能のＯＮ／ＯＦＦ制御を行うことで消費電力をできる限り削減しながらも、ユーザの待ち時間を削減できることが可能となる。
【００９２】
また、本実施形態では、画像形成装置それぞれをユーザが操作するときに、ＲＦＩＤ機能等の無線通信による個人認証を実施することにより、ユーザごとの動作制限を行いつつ、認証されたユーザの在室状況や画像形成装置の使用履歴、ユーザの業務の状況、ＦＡＸ受信ジョブの状況などに基づいて画像形成装置の各機能であるスキャナ部、ＦＡＸ通信部、プリンタ部、入力操作部の稼働状態をフレキシブルに切り替える制御を行うことができる。
【００９３】
これにより、画像形成装置全体としての消費電力を軽減することが可能となり、また、画像形成装置の動作待ち時間を軽減することができ、更には、スリープ状態に設定された各画像形成装置の動作状態を稼動状態へと迅速に復帰させることが可能となる。
【００９４】
上述した実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００９５】
（付記１）
画像形成処理を行う画像形成装置における電源稼働状態を制御する電源制御部と、前記画像形成装置の利用者の認証判定を行うと共に前記画像形成装置が設置された設置部屋における前記利用者の在室状況を記憶管理する利用者認証部とを備えた画像形成装置制御システムであって、
前記画像形成装置に含まれる各動作ユニットそれぞれを前記認証された各利用者が過去に利用した利用量を前記利用履歴として記憶する利用履歴記憶部と、
前記画像形成装置の利用が認証された利用者それぞれの前記画像形成装置の利用履歴に基づき前記画像形成装置が前記利用者よって利用される予測業務利用量を導出する利用量予測部とを備え、
前記電源制御部は、前記利用者の前記設置部屋における在室状況および前記予測された業務利用量に基づき前記対応する画像形成装置の電源稼働状態を制御する電源利用量制御手段を備えたことを特徴とする画像形成装置制御システム。
【００９６】
（付記２）
付記１に記載の画像形成装置制御システムにおいて、
前記認証された各利用者の前記設置部屋における在室または不在状態を示す入力を受け付けると共に前記入力内容を前記利用者認証部に通知する在室状況通知入力部を備えたことを特徴とする画像形成装置制御システム。
【００９７】
（付記３）
付記１に記載の画像形成装置制御システムにおいて、
前記画像形成装置に対する前記利用者からの動作要求を受け付け記憶保持すると共に、前記利用者が認証された場合に前記記憶保持した動作要求に応じた画像形成処理を実行する一括動作制御部を備えたことを特徴とする画像形成装置制御システム。
【００９８】
（付記４）
付記１に記載の画像形成装置制御システムにおいて、
前記利用者認証部は、前記設置部屋に設置され、前記設置部屋における各利用者の入退室時に各ユーザのユーザＩＤが記憶されたＩＤ機器が当該利用者認証部から一定範囲内に近接した場合に近接通信を介して前記ユーザＩＤを取得する近接通信手段を備えたことを特徴とする画像形成装置制御システム。
【００９９】
（付記５）
付記１に記載の画像形成装置制御システムにおいて、
前記電源制御部は、前記画像形成装置に含まれる各動作ユニットの電源のＯＮ／ＯＦＦ状態または各動作ユニットにおけるヒータの温度段階の高低を段階的に制御する電源利用量段階制御手段を備えたこと特徴とする画像形成装置制御システム。
【０１００】
（付記６）
付記５に記載の画像形成装置制御システムにおいて、
電源利用量段階制御手段は、前記予測業務利用量がより高い前記動作ユニットが稼働状態に設定されるまでの動作待機時間がより短くなるように設定する待機時間制御機能を備えたことを特徴とする画像形成装置制御システム。
【０１０１】
（付記７）
画像形成処理を行う画像形成装置の利用者の認証判定を行うと共に、前記画像形成装置が設置された設置部屋における前記利用者の在室状況を記憶管理する利用者認証部を備えた画像形成装置制御システムにあって、前記画像形成装置における電源稼働状態を制御する画像形成装置制御方法であって、
前記画像形成装置に含まれる各動作ユニットそれぞれを前記認証された各利用者が過去に利用した利用量を前記利用履歴として記憶する処理を行い、
前記画像形成装置の利用が認証された利用者それぞれの前記画像形成装置の利用履歴に基づき前記画像形成装置が前記利用者よって利用される予測業務利用量を導出し、
前記電源制御部は、前記利用者の前記設置部屋における在室状況および前記予測された業務利用量に基づき前記対応する画像形成装置の電源稼働状態を制御することを特徴とした画像形成装置制御方法。
【０１０２】
（付記８）
画像形成処理を行う画像形成装置の利用者の認証判定を行うと共に、前記画像形成装置が設置された設置部屋における前記利用者の在室状況を記憶管理する利用者認証部を備えた画像形成装置制御システムにあって、前記画像形成装置における電源稼働状態を制御するための画像形成装置制御プログラムであって、
前記画像形成装置に含まれる各動作ユニットそれぞれを前記認証された各利用者が過去に利用した利用量を前記利用履歴として記憶する処理を行う利用履歴記憶処理機能と、
前記画像形成装置の利用が認証された利用者それぞれの前記画像形成装置の利用履歴に基づき前記画像形成装置が前記利用者よって利用される予測業務利用量を導出する利用量予測機能と、
前記電源制御部は、前記利用者の前記設置部屋における在室状況および前記予測された業務利用量に基づき前記対応する画像形成装置の電源稼働状態を制御する電源利用量制御機能とを、前記画像形成装置制御システムのコンピュータにより実現することを特徴とした画像形成装置制御プログラム。
【産業上の利用可能性】
【０１０３】
本発明は、特定の部屋に設置された装置の電源状態のＯＮ／ＯＦＦまたは各装置における温度段階の高低を上記部屋内における利用者の在室状況に応じて制御する装置稼働状態制御システムに対して有効に適用することが可能である。
【符号の説明】
【０１０４】
１  ＰＣプリントデータ入力部
２  ＬＡＮ通信部
３  主制御部
４  メモリ部
５  ＲＦＩＤ部
６  入力操作部
７  ユーザ認証部
８  スキャナ部
９  ファックス（ＦＡＸ）部
１０  プリンタ部
１１  電源制御部
【図１】
2013046211.tif 000003
【図２】
2013046211.tif 000004
【図３】
2013046211.tif 000005
【図４】
2013046211.tif 000006
【図５】
2013046211.tif 000007
【図６】
2013046211.tif 000008
【図７】
2013046211.tif 000009